(57)【特許請求の範囲】
【請求項１】
シートクッションと、所定方向において異なる第一位置及び第二位置の間で前記シートクッションを往復移動させるシート移動機構と、を備える車両用シートであって、
前記シート移動機構は、
前記シートクッションを前記第一位置と前記第二位置との間で移動させる際に、車体フロアに対して相対回動するとともに、前記シートクッションに対して相対回動する第一リンク及び第二リンクと、
前記車体フロアに固定された一端から前記シートクッションに取り付けられた他端への向きの付勢力を、前記シートクッションに付与する付勢部材と、を備え、
前記第一リンクを前記シートクッションに対して回動自在に支持する第一回動軸の中心線と、前記第一リンクを前記車体フロア側に連結するために設けられた第一連結軸の中心線と、を通る仮想平面を第一平面とし、
前記第二リンクを前記シートクッションに対して回動自在に支持する第二回動軸の中心線と、前記第二リンクを前記車体フロア側に連結するために設けられた第二連結軸の中心線と、を通る仮想平面を第二平面とし、
前記シート移動機構が、前記シートクッションを前記第一位置と前記第二位置との間で移動させる区間において、前記車体フロアに対して相対回動している前記第一リンク及び前記第二リンクの双方が前記シートクッションに対して相対回動することで、前記区間のうち、前記双方が前記第二位置側に傾いている間に、前記第一平面と前記第二平面との交線が前記シートクッションよりも上方に位置し、前記付勢部材が前記交線よりも前記第一位置側を通る方向に前記シートクッションを付勢していることを特徴とする車両用シート。
【請求項２】
前記交線は、前記第一位置において前記シートクッションよりも下方に位置し、且つ、前記付勢部材の前記一端から見たときに前記付勢部材が前記シートクッションを付勢している上方向の側とは反対側となる前記第二位置側に位置することを特徴とする請求項１に記載の車両用シート。
【請求項３】
前記シートクッションよりも上方にある前記交線を中心とする前記付勢部材による作用力は、前記シートクッションの自重による力における前記作用力に平行な分力よりも小さいことを特徴とする請求項１又は２に記載の車両用シート。
【請求項４】
前記第二位置において、前記交線が前記第一連結軸よりも前記第一回動軸側の延長線上に位置し、前記付勢部材が、前記第二位置側に前記シートクッションを付勢していることを特徴とする請求項１乃至３のいずれか一項に記載の車両用シート。
【請求項５】
前記車両用シートには、車体に固定して、前記第二位置にある前記シートクッションの状態を保持する保持部材が設けられていることを特徴とする請求項１乃至４のいずれか一項に記載の車両用シート。
【請求項６】
前記保持部材は、前記車両用シートと前記車体とを繋ぐストラップであることを特徴とする請求項５に記載の車両用シート。
【請求項７】
前記保持部材は、前記車両用シートと前記車体とをロックするロック装置であることを特徴とする請求項５に記載の車両用シート。
【発明の詳細な説明】
【技術分野】
【０００１】
本発明は、車両用シートに係り、特に、シートクッション及びシートバックを車体フロアに形成された収納位置に収納可能な車両用シートに関する。
【背景技術】
【０００２】
従来、シート本体を構成するシートクッション及びシートバックを車体フロアに形成された収納位置に収納可能な車両用シートは既に知られており、その中には、車両の後部座席に相当するシートであって、シート本体を前方又は後方に設けられた凹部に収納可能な車両用シートが存在する。
シート本体を収納する機構としては、シートクッションと車体フロアとの間を連結し、車体フロアに対して回動する回動リンクが知られている。この回動リンクの回転によって、シートクッション及びシートバックを収納位置に移動させることができる（例えば、特許文献１参照）。
【０００３】
特許文献１に記載の車両用リアシートは、上端がシートクッション側に取り付けられ、下端が車体フロア側に回動可能に連結される回動リンクとピストンダンパとを備えている。
シート本体の収納操作時には、シートバックをシートクッション側に折り畳んだ上で、回動リンクをシート後方側へ回転させることで、シート本体を収納凹部に収納可能な構成となっている。
また、ピストンダンパは、常にシートクッション側に付勢力が付与されるように構成されており、シートクッションを下方から支持すると共に、シート収納操作をアシストする。
【先行技術文献】
【特許文献】
【０００４】
【特許文献１】特開２０１４−１７２４８５号公報
【発明の概要】
【発明が解決しようとする課題】
【０００５】
ところで、特許文献１に開示されたリンク構造においては、ピストンダンパによるシートクッションへの下方から上方に向かう支持力は、着座可能状態においては大きいが、収納状態になるようにシートクッションを回動させるつれて小さくなっていた。
具体的には、ピストンダンパが略鉛直方向に延びる着座可能状態においては、上方に向かう分力が大きいためこの支持力は大きいが、収納状態になるにつれてピストンダンパが略水平方向に傾斜していき上方に向かう分力が小さくなるため、この支持力は小さくなっていた。
【０００６】
このような構成によると、シートクッションを着座可能状態から収納状態に回動させる際に、回動の勢いが増すことがあり車体フロアに接触して大きな音が出てしまうことがあった。この場合に、シートクッションの回動の勢いが増さないように手で支えながら回動させると円滑な回動が困難となり、操作感が良好ではなかった。
【０００７】
また、収納状態から着座可能状態にシートクッションを回動させる場合に、シートクッションを持ち上げる際には、上記のようにピストンダンパの支持力が小さいため、その回動のサポートが十分ではなかった。
【０００８】
そして、収納状態から着座可能状態にシートクッションを回動させる際に、十分なサポートとなるようにピストンダンパの支持力を高く設定すると、例えば、車両運転中に揺れによって、収納状態からシートクッションが不意に回動して（持ち上がって）しまうことがあった。
【０００９】
本発明は、上記の課題に鑑みてなされたものであり、本発明の目的は、所定の位置の間でシートクッションを円滑に回動させることができる車両用シートを提供することにある。
また、本発明の他の目的は、シートクッションが不意に回動することを防止することにある。
【課題を解決するための手段】
【００１０】
前記課題は、本発明の車両用シートによれば、シートクッションと、所定方向において異なる第一位置及び第二位置の間で前記シートクッションを往復移動させるシート移動機構と、を備える車両用シートであって、前記シート移動機構は、前記シートクッションを前記第一位置と前記第二位置との間で移動させる際に、車体フロアに対して相対回動するとともに、前記シートクッションに対して相対回動する第一リンク及び第二リンクと、前記車体フロアに固定された一端から前記シートクッションに取り付けられた他端への向きの付勢力を、前記シートクッションに付与する付勢部材と、を備え、前記第一リンクを前記シートクッションに対して回動自在に支持する第一回動軸の中心線と、前記第一リンクを前記車体フロア側に連結するために設けられた第一連結軸の中心線と、を通る仮想平面を第一平面とし、前記第二リンクを前記シートクッションに対して回動自在に支持する第二回動軸の中心線と、前記第二リンクを前記車体フロア側に連結するために設けられた第二連結軸の中心線と、を通る仮想平面を第二平面とし、前記シート移動機構が、前記シートクッションを前記第一位置と前記第二位置との間で移動させる区間において、前記車体フロアに対して相対回動している前記第一リンク及び前記第二リンクの双方が前記シートクッションに対して相対回動することで、前記区間のうち、前記双方が前記第二位置側に傾いている間に、前記第一平面と前記第二平面との交線が前記シートクッションよりも上方に位置し、前記付勢部材が前記交線よりも前記第一位置側を通る方向に前記シートクッションを付勢していることにより解決される。
【００１１】
上記のように、シートクッションの移動区間において、第一平面と第二平面との交線がシートクッションよりも上方に位置し、付勢部材が交線よりも第一位置側を通る方向にシートクッションを付勢していることで、シートクッションを移動させる際に第一位置側に向かう付勢力をシート移動機構によって生じさせることができる。
このため、シートクッションが第一位置から第二位置に急激に移動することを防ぐことができ、シートクッションを第二位置から第一位置に移動する際には、その移動をサポートできることで、シートクッションを円滑に移動させることが可能となる。
【００１２】
また、前記交線は、前記第一位置において前記シートクッションよりも下方に位置し、且つ、前記付勢部材の前記一端から見たときに前記付勢部材が前記シートクッションを付勢している上方向の側とは反対側となる前記第二位置側に位置してもよい。
上記構成によれば、交線が、シートクッションよりも下方にあり、付勢部材の一端から見たときに付勢部材の付勢方向側とは反対側となる第二位置側にあることで、交線を中心とする付勢部材による第二位置に向かうモーメントがシートクッションに加わり、シートクッションが第二位置に移動しやすくなる。
【００１３】
また、前記シートクッションよりも上方にある前記交線を中心とする前記付勢部材による作用力は、前記シートクッションの自重による力における前記作用力に平行な分力よりも小さいと好ましい。
上記構成によれば、シートクッションを第二位置に移動させる際に、付勢部材による作用力によって減速させつつ、シートクッションの自重によってシートクッションを円滑に回動させることができる。
【００１４】
また、前記第二位置において、前記交線が前記第一連結軸よりも前記第一回動軸側の延長線上に位置し、前記付勢部材が、前記第二位置側に前記シートクッションを付勢していると好ましい。
上記構成によれば、第二位置にある前記シートクッションを、付勢部材によって第二位置側に付勢することによって、シートクッションに第二位置に向かうモーメントが生じることとなる。このため、不意にシートクッションが第二位置から第一位置に移動することを防ぐことができる。
【００１５】
また、前記車両用シートには、車体に固定して、前記第二位置にある前記シートクッションの状態を保持する保持部材が設けられていると好ましい。
上記構成によれば、走行中の上下動する場合等、通常よりも大きな荷重がかかる場合においても、シートクッションを第二位置にある状態に保持することができる。
【００１６】
特に、前記保持部材は、前記車両用シートと前記車体とを繋ぐストラップであってもよい。
上記構成によれば、ストラップによって、シートクッションが持ち上がることを簡単に防ぐことができる。
【００１７】
また、前記保持部材は、前記車両用シートと前記車体とをロックするロック装置であってもよい。
上記構成によれば、ロック装置によって、シートクッションが持ち上がることを確実に防ぐことができる。
【発明の効果】
【００１８】
本発明によれば、シートクッションが第一位置から第二位置に急激に移動することを防ぐことができ、シートクッションを第二位置から第一位置に移動する際には、その移動をサポートできることで、シートクッションを円滑に移動させることが可能となる。
また、本発明によれば、交線を中心とする付勢部材による第二位置に向かうモーメントがシートクッションに加わり、シートクッションが第二位置に移動しやすくなる。
また、本発明によれば、シートクッションを第二位置に移動させる際に、付勢部材による作用力によって減速させつつ、シートクッションの自重によってシートクッションを円滑に回動させることができる。
また、本発明によれば、不意にシートクッションが第二位置から第一位置に移動することを防ぐことができる。
また、本発明によれば、シートクッションを第二位置にある状態に保持することができる。
また、本発明によれば、シートクッションが持ち上がることを簡単に防ぐことができる。
また、本発明によれば、シートクッションが持ち上がることを確実に防ぐことができる。
【図面の簡単な説明】
【００１９】
【図１】本発明に係る車両用シートの概略斜視図である。
【図２】車両用シートの骨格となるシートフレームの概略斜視図である。
【図３】シートフレームの概略側面図である。
【図４】着座可能状態におけるシートフレームの回動リンクの状態及びピストンダンパの付勢力の方向を示す模式図である。
【図５】ポップアップ状態におけるシートフレームの回動リンクの状態及びピストンダンパの付勢力の方向を示す模式図である。
【図６】中間回動状態におけるシートフレームの回動リンクの状態及びピストンダンパの付勢力の方向を示す模式図である。
【図７】収納状態におけるシートフレームの回動リンクの状態及びピストンダンパの付勢力の方向を示す模式図である。
【図８】ロック装置によって収納状態を維持された車両用シートの状態を示す側面図である。
【発明を実施するための形態】
【００２０】
本実施形態は、シートクッションを所定方向に移動させて車体フロア側に収納可能な車両用シートであって、上端がシートクッションの後端部に取り付けられ、下端が車体フロア側に回動可能に連結される回動リンクとピストンダンパとを備え、シートクッションへの付勢力を生じさせる構成に特徴を有する車両用シートの発明に関するものである。
なお、以下において、車両用シートのシートバックに対して乗員が着座する側がシート前方側とし、この前方側を基準として左右方向を定義するものとする。
【００２１】
以下、本発明の実施形態に係る車両用シートＳについて説明する。
車両用シートＳは、図１に示すように、着座可能状態とシート収納状態（以下、単に収納状態ともいう。）とに、シートクッション２が回動可能な構成を備える。
まず、車両用シートＳの着座可能状態に係る図１〜図３を参照して、各構成について説明する。ここで、図１は、本発明に係る車両用シートＳの概略斜視図、図２は、車両用シートＳの骨格となるシートフレームの概略斜視図、図３は、シートフレームの概略側面図である。
【００２２】
車両用シートＳは、図１に示すように、シートバック１と、シートクッション２と、ヘッドレスト３とを備えるシート本体と、図２に示すように、上端がシートクッション２の前端部に取り付けられ、下端が車体フロア側に着脱可能に連結されるフットリンク３０と、上端がシートクッション２の後端部に取り付けられ、下端が車体フロア側に回動可能に連結される回動リンク４０とピストンダンパ４７と、から主に構成されている。
なお、回動リンク４０及びピストンダンパ４７が、本発明に係るシート移動機構に相当し、特にピストンダンパ４７が、本発明に係る付勢部材に相当するものである。
【００２３】
また、車両用シートＳには、フットリンク３０に設けられた係合フック３２を車体フロアに固定されたストライカ３３にロックするロック装置３１と、が取り付けられている。
車両用シートＳの後方側には、図３に示すように、車体フロアに形成された凹型の収納スペースとしての収納位置が設けられている。
【００２４】
車両用シートＳは、乗員が着座可能な着座可能状態と、シート本体を収納位置に収納させた収納状態との２種類の形態のシートアレンジが可能なシートである。
具体的には、車両用シートＳは、着座可能状態にあるときに、乗員が図１に示す操作ストラップ４を引っ張ると、シートバック１がシートクッション２側に前倒れして折り畳まれる。その後、折り畳まれたシート本体はシート後方に跳ね上げ回転し、沈み込む方向へ移動する。そして、シート本体が収納位置に収納されるようになる。なお、車両用シートＳが着座可能状態にあるときの車両用シートＳの位置を着座可能位置ともいい、収納状態にあるときの車両用シートＳの位置を収納位置ともいう。着座可能位置は、本発明に係る第一の位置に相当し、収納位置は、本発明に係る第二の位置に相当するものである。
【００２５】
シートバック１は、図１に示すように、乗員の背中を後方から支持する背もたれ部であって、骨格となる図２に示すバックフレーム１０と不図示のクッションパッドとを備えて構成されている。
シートクッション２は、乗員を下方から支持する着座部であって、骨格となる図２に示すクッションフレーム２０と不図示のクッションパッドとを備えて構成されている。
ヘッドレスト３は、乗員の頭を後方から支持する頭部であって、芯材となる不図示のピラーと不図示のクッションパッドとを備えて構成されている。
【００２６】
バックフレーム１０は、シートバック１の骨格となる略矩形状の枠体からなり、図３に示すように、その下端部が、クッションフレーム２０と連結されている。
【００２７】
クッションフレーム２０は、シートクッション２の骨格となる略矩形状の枠体からなり、図２に示すように、左右側方に配置されたサイドフレーム２１と、各サイドフレーム２１の前方部分を連結する前方連結パイプ２２と、各サイドフレームの後方部分を連結する後方連結パイプ２３と、前方連結パイプ２２の上面に架設された板状フレームとしてのパンフレーム２４と、を主な構成品として備えている。
【００２８】
サイドフレーム２１は、前後方向に延出する板金部材からなり、前方連結パイプ２２及び後方連結パイプ２３を挟み込むように連結して結合剛性を高めている。
左側のサイドフレーム２１には、前後方向においてサイドフレーム２１に対向配置された補強サイドフレーム２１ａが取り付けられている。
【００２９】
補強サイドフレーム２１ａは、ピストンダンパ４７が取り付けられた側のサイドフレーム２１を補強する部材であり、前方部分において前方連結パイプ２２と連結され、後方部分において後方連結パイプ２３と連結されている。補強サイドフレーム２１ａには、不図示の回動ボルトをシート左右方向に締結することでピストンダンパ４７の上端部が回動可能に連結されている。
【００３０】
前方連結パイプ２２には、連結ブラケット２２ａを介してフットリンク３０の上端部が回動可能に取り付けられている。
後方連結パイプ２３には、その下端部に回動リンク４０を回動可能に連結するための左右２つの連結ブラケット２３ａが取り付けられている。連結ブラケット２３ａは、不図示の回動ボルトをシート左右方向に締結することで回動リンク４０の上端部を回動可能に支持している。
【００３１】
フットリンク３０は、図２に示すように、略コ字形状の板金部材からなり、シートクッション２を支持する部材である。フットリンク３０は、その上端部に配置され、フットリンク３０の回動中心となる脚回動軸３０ａと、下端部に配置され、係合フック３２を車体フロアのストライカ３３に着脱可能に係合ロックするロック装置３１と、を備えている。
脚回動軸３０ａには、不図示の付勢バネが取り付けられており、フットリンク３０は、付勢バネの付勢力によって車体フロア側のストライカ３３に係合可能な位置に配置される。
フットリンク３０は、伝達部材４６を介して回動リンク４０と連結されており、ロック装置３１のロック解除後、回動リンク４０の回転に連動して脚回動軸３０ａを中心としてシート後方側に回転し、シートクッション２側に折り畳まれる構成となっている。
【００３２】
回動リンク４０は、図２及び図３に示すように、シートクッション２を収納位置まで移動させる長尺部材であり、３つの回動リンク４０として、シートクッション２の右側部分に配置された第１回動リンク４１と、シートクッション２の左側部分に配置された第２回動リンク４２と、第２回動リンク４２よりも左側に配置された第３回動リンク４３と、を備えている。
第１回動リンク４１及び第２回動リンク４２は、前後方向において対向位置に配置されており、第３回動リンク４３は、第１回動リンク４１及び第２回動リンク４２よりもやや後方に配置されている。
また、第３回動リンク４３よりも左側には、長尺部材からなるピストンダンパ４７が配置されている。
【００３３】
第１回動リンク４１は、略四角筒状に形成された板金部材からなり、具体的には略コ字形状に折り曲げられた２つの板金部材を組み合わせて筒状に形成されている。
第２回動リンク４２は、本発明に係る第一リンクに相当し、円筒のパイプ部材を略Ｌ字形状に折り曲げて形成されており、図２及び図３に示すように、その長尺部分が第１回動リンク４１に沿うように配置されている。
【００３４】
第１回動リンク４１及び第２回動リンク４２は、図２に示すように、それぞれ上端がシートクッション２の後端部に取り付けられた連結ブラケット２３ａに回動可能に連結され、それぞれ下端が車体フロア側に取り付けられたリンク連結軸４４に連結されて構成される。特に、第２回動リンク４２の上端は、連結ブラケット２３ａに回動軸４２ａによって回動可能に連結されている。ここで、回動軸４２ａは、本発明に係る第一回動軸に相当するものである。
第３回動リンク４３は、本発明に係る第二リンクに相当し、上端が同様に連結ブラケット２３ａに回動可能に連結され、下端がリンク連結軸４５として車体フロア側に連結されて構成される。具体的には、第３回動リンク４３の上端は、着座可能状態において、第２回動リンク４２の上端よりも後方で連結ブラケット２３ａに回動軸４３ａによって回動可能に連結されている。ここで、回動軸４３ａは、本発明に係る第二回動軸に相当するものである。
なお、シートクッション２を支持する第１回動リンク４１及び第２回動リンク４２のリンク連結軸４４が、第３回動リンク４３のリンク連結軸４５よりも前方かつ上方に配置されていることで、シートクッション２の支持剛性が高められている。
【００３５】
リンク連結軸４４，４５には、それぞれ不図示のリンク付勢バネが取り付けられており、回動リンク４０は、リンク付勢バネによって常にリンク連結軸４４，４５を中心として収納位置側に付勢されている。なお、リンク連結軸４４は、本発明に係る第一連結軸に相当し、リンク連結軸４５は、本発明に係る第二連結軸に相当するものである。
回動リンク４０は、図３に示すように、シートクッション２を介してフットリンク３０と連結されている。そのため、回動リンク４０は、着座可能状態のときにフットリンク３０と車体フロア側のストライカ３３とがロックされることから、リンク付勢バネに抗してシートクッション２を下方から支持する位置に保持される構成となる。
また、回動リンク４０は、フットリンク３０とストライカ３３とのロック解除後、リンク付勢バネの付勢力によってシートクッション２を収納位置まで移動させるようにリンク連結軸４４，４５を中心として回転する構成となる。
【００３６】
第２回動リンク４２のうち、上端に設けられた回動軸４２ａよりも下方部分には、図２及び図３に示すように、フットリンク３０と直接連結する伝達部材４６が取り付けられている。この伝達部材４６によって図３に矢印で示すように、着座可能状態から収納状態に移行するときに、第２回動リンク４２がシートクッション２に近接する量に応じて、フットリンク３０がシートクッション２側に折り畳まれることとなる。
【００３７】
ピストンダンパ４７は、その延出方向の外側（伸長方向）に向かって付勢力を付与する付勢部材であり、着座可能状態にあるときにシートクッション２を上方に付勢する。
ピストンダンパ４７は、図２に示すように、上端が補強サイドフレーム２１ａの側面に取り付けられたダンパ回動軸４７ｂに回動可能に取り付けられ、下端が車体フロア側に取り付けられたダンパ連結軸４７ａに連結されて構成される。
ダンパ連結軸４７ａには、不図示の付勢バネが取り付けられており、ピストンダンパ４７は、回動リンク４０と同様に、付勢バネによって常にダンパ連結軸４７ａを中心として収納位置側に付勢されている。
ピストンダンパ４７は、着座可能状態にあるとき、図３に示すように、回動リンク４０よりも前方に配置されており、シートクッション２の前後方向の中央部分により近い位置で支持可能な構成となり、付勢バネに抗してシートクッション２を支持する位置に保持される。
また、ピストンダンパ４７及び第３回動リンク４３は、第２回動リンク４２と車体フロアとを連結するフロア側ベース部材４２ｂを利用して車体フロアに連結されている。
【００３８】
ピストンダンパ４７は、フットリンク３０とストライカ３３とのロック解除後、付勢バネの付勢力によってダンパ連結軸４７ａを中心として収納位置側に向かって後方回転する。
【００３９】
＜回動リンクの回動位置に応じたピストンダンパの付勢力の変化について＞
次に、図４〜図７を参照して、シートクッション２に加わるピストンダンパ４７の付勢力に関して、第２回動リンク４２、第３回動リンク４３及びピストンダンパ４７の位置関係に応じた変化について説明する。
【００４０】
ここで、図４〜図７は、シートフレームの回動リンク４０の状態及びピストンダンパ４７の付勢力の方向を示す模式図であり、図４は着座可能状態、図５はポップアップ状態、図６は中間回動状態、図７は収納状態を示すものである。
【００４１】
第２回動リンク４２におけるリンク連結軸４４の中心線及び回動軸４２ａの中心線を通る平面を仮想平面４２ｃとし、第３回動リンク４３におけるリンク連結軸４５の中心線及び回動軸４３ａの中心線を通る平面を仮想平面４３ｃとする。なお、仮想平面４２ｃは、本発明に係る第一平面に相当し、仮想平面４３ｃは本発明に係る第二平面に相当する。
そして、仮想平面４２ｃと仮想平面４３ｃの交線５０は、リンク機構に関する瞬間中心となる。
【００４２】
図４に示す着座可能状態において、交線５０は、シートクッション２よりも下方にあり、ピストンダンパ４７は、交線５０の前方を通ってシートクッション２を上方に付勢している。このため、交線５０を中心として、円弧状の矢印で図４に示す、図面中、時計回り方向のモーメントが生じ、このモーメントによって交線５０よりも上方にあるシートクッション２にはシート後方に向かう付勢力が加わることとなる。
つまり、ロック装置３１のロックを解除すると、シートクッション２は、ピストンダンパ４７の伸長方向の付勢力によって上方に移動するとともに、上記の交線５０を中心とした時計回り方向のモーメントによって後方に移動することとなる。
【００４３】
図５に示すポップアップ状態において、シートクッション２は、ピストンダンパ４７の伸長方向の付勢力によって上方に移動している。なお、この状態においても、着座可能状態と同様、交線５０は、シートクッション２よりも下方にあり、ピストンダンパ４７は、交線５０の前方を通ってシートクッション２を上方に付勢している。
【００４４】
図６に示す中間回動状態においては、ピストンダンパ４７が回動して傾斜するのに伴って、伸長方向の付勢力の分力であってシートクッション２を上方に付勢する力が徐々に小さくなる。このため、シートクッション２は、回動リンク４０が収納方向に回動するにつれて、その自重によって回動リンク４０側に近づくこととなり、シートクッション２において回動軸４３ａよりも前方に配置された回動軸４２ａは、第３回動リンク４３に近づくこととなる。
そして、回動軸４２ａと仮想平面４３ｃとの距離が、リンク連結軸４４と仮想平面４３ｃとの距離よりも小さくなることで、交線５０は、シートクッション２よりも上方に位置するようになる。換言すると、交線５０が回動軸４２ａ又は回動軸４３ａ側の延長先に位置するか、リンク連結軸４４又はリンク連結軸４５側の延長先に位置するかは、仮想平面４２ｃと仮想平面４３ｃの傾斜が平行になる状態を境に切り替わることとなる。
【００４５】
ピストンダンパ４７は、交線５０の前方を通ってシートクッション２を上方に付勢している。このため、交線５０を中心として、円弧状の矢印で図６に示す、図面中、時計回り方向のモーメントが生じ、このモーメントによって、交線５０よりも下方にあるシートクッション２にはシート前方に向かう付勢力が加わることとなる。
つまり、中間回動状態において、車両用シートＳの自重によってシートクッション２は後方に倒れようとするのに対して、上記の交線５０を中心とした時計回り方向のモーメントによってシートクッション２に加わる付勢力によって前方に向かう抗力が生じることとなる。
このような力が生じることによって、シートクッション２を収納する際に急激に移動することを防止でき、シートクッション２を持ち上げる際にはその移動がサポートされることになる。
【００４６】
特に、交線５０を中心とした時計回り方向のモーメントによってシートクッション２に加わる前方向の付勢力は、車両用シートＳの自重における後方向の分力に対して同じか小さくなるように設定されている。このように設定されていることで、シートクッション２は、収納状態に向かう回動を制限されずに、収納状態となるように減速して回動することとなる。
【００４７】
図７に示す収納状態において、交線５０は、シートクッション２の後方に位置するようになる。
ピストンダンパ４７は、交線５０の下方を通ってシートクッション２を後方に付勢している。このため、交線５０を中心として、円弧状の矢印で図７に示す、図面中、反時計回り方向のモーメントが生じ、このモーメントによって、交線５０よりも前方にあるシートクッション２にはシート下方に向かう付勢力が加わることとなる。
つまり、収納状態において、シートクッション２には、着座可能位置から収納位置に向かう方向に付勢力が加わることとなり、収納状態からシートクッション２が不意に上方に持ち上がることを抑制することとなる。
【００４８】
また、収納状態からシートクッション２が不意に上方に持ち上がることを確実に防ぐために、図８に示すロック装置５によって車両用シートＳを車体フロアに固定するようにしてもよい。ここで、図８は、ロック装置５によって収納状態を維持された車両用シートＳの状態を示す側面図である。
【００４９】
ロック装置５は、本発明に係る保持部材に相当し、車体フロアに取り付けられた逆Ｕ字状のストライカ５ｂと、シートクッション２の後側に上下に回動可能に取り付けられて後方に突出する係合フック５ａとから構成されている。
【００５０】
このようにロック装置５によって、車両用シートＳを車体フロアに固定する構成によれば、車両運転時の上下動の揺れが生じた場合においても確実にシートクッション２が上方に持ち上がることを防ぐことができ、車内環境を安定させることができる。
なお、ロック装置５によらずに、図示せぬ車体フロア及び車両用シートに固定されたストラップ同士をシートベルトのように係合させること等によって、車体フロアの一部により簡単に固定するようにしてもよい。
【００５１】
上記実施形態では、具体例として自動車に用いられる収納可能な車両用シートについて説明したが、これに限定されることなく、電車、バス等の車両用シートのほか、飛行機、船等の乗物用シートとしても利用することができる。
【００５２】
本実施形態では、主として本発明に係る車両用シートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【００５３】
特に、回動リンク４０又はピストンダンパ４７等の配置や構成について、上記の実施形態にて説明したものは、あくまで一例に過ぎず、本発明を限定するものではない。
つまり、上記実施形態においては、第１回動リンク４１がシート右側に配置されており、第２回動リンク４２、第３回動リンク４３及びピストンダンパ４７がシート左側に配置されているものとして説明したが、これらは逆に配置されていてもよい。
さらには、第２回動リンク４２、第３回動リンク４３及びピストンダンパ４７のシート幅方向における位置関係についても任意である。
そして、第２回動リンク４２と第３回動リンク４３とは、連結ブラケット２３ａに共通して回動可能に支持されているものとして説明したが、別部品に回動可能に支持されていてもよい。
【００５４】
さらに、上記実施形態において、車両用シートＳは、シートクッション２をシート後方に形成した収納位置に収納可能な構成となっているが、本発明はこの構成に限定されない。
例えば、シートクッション２をシート前方又は側方に形成した収納位置に収納可能な構成としてもよい。このような構成においても、第１回動リンク４１及び第２回動リンク４２に相当する回動リンクにおける仮想平面の交線５０の位置と、ピストンダンパ４７の付勢力の方向との関係性を上記実施形態の構成と同様にすることで、同様の効果を奏し得る。
【００５５】
具体的には、例えば着座可能状態と収納状態との間の中間回動状態において、シートクッション２よりも上方に位置するように回動リンクを構成する。さらに、ピストンダンパ４７の付勢力が、交線５０よりも着座可能状態となる側（前方に収納位置を形成した場合には後方、左側方に収納位置を形成した場合には右方）を通るように、ピストンダンパ４７を配設する。
このようにすることで、シートクッション２の収納時に、シートクッション２を減速する方向の作用力が生じさせ、使用者に不快感を与えることなく、シートクッション２を収納状態に円滑に移行することができる。
さらには、収納状態においてシートクッション２が不意に回動しないようにする構成についても上記実施形態の構成と同様の構成にすることで同様の効果を奏し得る。
【符号の説明】
【００５６】
Ｓ  車両用シート
１  シートバック
２  シートクッション
３  ヘッドレスト
４  操作ストラップ
５  ロック装置（保持部材）
５ａ  係合フック
５ｂ  ストライカ
１０  バックフレーム
２０  クッションフレーム
２１  サイドフレーム
２１ａ  補強サイドフレーム
２２  前方連結パイプ
２２ａ  連結ブラケット
２３  後方連結パイプ
２３ａ  連結ブラケット
２４  パンフレーム
３０  フットリンク
３０ａ  脚回動軸
３１  ロック装置
３２  係合フック
３３  ストライカ
４０  回動リンク（シート移動機構）
４１  第１回動リンク
４２  第２回動リンク（第一リンク）
４２ａ  回動軸（第一回動軸）
４２ｂ  フロア側ベース部材
４２ｃ  仮想平面（第一平面）
４３  第３回動リンク（第二リンク）
４３ａ  回動軸（第二回動軸）
４３ｃ  仮想平面（第二平面）
４４  リンク連結軸（第一連結軸）
４５  リンク連結軸（第二連結軸）
４６  伝達部材
４７  ピストンダンパ（付勢部材，シート移動機構）
４７ａ  ダンパ連結軸
４７ｂ  ダンパ回動軸
５０  交線
【図１】
0006435160.tif 000002
【図２】
0006435160.tif 000003
【図３】
0006435160.tif 000004
【図４】
0006435160.tif 000005
【図５】
0006435160.tif 000006
【図６】
0006435160.tif 000007
【図７】
0006435160.tif 000008
【図８】
0006435160.tif 000009